(57)【要約】【課題】上述したＴＶＧを外部メディア再生装置（ＤＶＤドライブ）側に備えつつ、ＣＣの表示ミスを防ぐことの可能なコンボ型のテレビ受像機の提供を目的とする。【解決手段】マイコン２８がＣＣスライサ２６でいずれのＣＣチャンネルを抽出させるかを表すＣＣチャンネル抽出情報を変更してＥＥＰＲＯＭ３０に設定すると、マイコン２８が同変更を検出して変更されたＣＣチャンネルをＤＶＤマイコン３６ｃに通知する。そして、ＤＶＤマイコン３６ｃは、ＤＶＤ再生部３６から映像信号を出力する際にＤＶＤに含まれるクローズドキャプションをいずれのＣＣチャンネルに挿入して出力させるかを表すＣＣチャンネル挿入情報に、通知されたＣＣチャンネルを設定する。【選択図】図３
2007306062.tif 000002
【特許請求の範囲】
【請求項１】
テレビジョン放送信号を受信して対応する映像信号を出力するチューナと、
クローズドキャプションを含む映像信号が記録されたＤＶＤから同映像信号を読み取り、同映像信号に含まれるクローズドキャプションを抽出して同抽出したクローズドキャプションのＮＧワードを適切な語彙に置き換えたのちＣＣチャンネルに挿入して出力し、置き換えたＮＧワードに対応する音声信号をミュートして出力するＤＶＤ再生部と、
上記チューナまたは上記ＤＶＤ再生部より出力された映像信号からクローズドキャプションを抽出し、同抽出したクローズドキャプションを出力するＣＣスライサと、
上記映像信号に上記ＣＣスライサにて抽出されたクローズドキャプションを重畳して画面に表示させる表示処理部と、
リモコンＩ／Ｆから電圧信号が入力されて対応するキー操作を検知するとリモコンからの操作入力を受け付け、受け付けた操作入力に対応した制御を行うマイコンと、
上記マイコンに接続され、情報を書き換え可能なＥＥＰＲＯＭと、
リモコンＩ／Ｆから電圧信号が入力されて対応するキー操作を検知するとリモコンからの操作入力を受け付け、受け付けた操作入力に対応した制御を行うＤＶＤマイコンと、
上記ＤＶＤマイコンに接続され、情報を書き換え可能なＤＶＤＥＥＰＲＯＭと、
を備えるテレビ受像機において、
上記ＥＥＰＲＯＭは、上記ＣＣスライサにいずれのＣＣチャンネルのクローズドキャプションを抽出させるかを示すＣＣチャンネル抽出情報を記憶し、
上記ＤＶＤＥＥＰＲＯＭは、上記ＤＶＤ再生部から映像信号を出力する際に、ＤＶＤに含まれるクローズドキャプションをいずれのＣＣチャンネルに挿入して出力させるかを示すＣＣチャンネル挿入情報を記憶し、
上記マイコンは、上記ＣＣチャンネル抽出情報に基づいて上記ＣＣスライサにクローズドキャプションを抽出させて同クローズドキャプションをディスプレイにＯＳＤ表示させ、
上記ＤＶＤマイコンは、上記ＤＶＤ再生部から映像信号を出力する際に、上記ＤＶＤに含まれるクローズドキャプションをいずれのＣＣチャンネルに挿入して出力させるかを設定し、
上記マイコンは、ＣＣチャンネル抽出情報が変更されると、同変更されたＣＣチャンネルの情報を双方向通信により上記ＤＶＤマイコンに送信し、
上記ＤＶＤマイコンは、上記マイコンから双方向通信によりＣＣチャンネルの情報を受信すると同情報を受け付け、同情報を受信した旨を示す受信完了通知を双方向通信により上記マイコンに送信し、受信したＣＣチャンネルの情報がクローズドキャプションを画面に表示させるとの情報であれば受信したＣＣチャンネルの情報をＣＣチャンネル挿入情報と上記ＤＶＤＥＥＰＲＯＭの所定のアドレスに記憶させ、受信したＣＣチャンネルの情報がクローズドキャプションを画面に表示させないとの情報であれば上記ＤＶＤＥＥＰＲＯＭのＣＣチャンネル挿入情報を変更しない
ことを特徴とするテレビ受像機。
【請求項２】
テレビジョン放送信号を受信して対応する映像信号を出力するチューナと、
クローズドキャプションを含む映像信号が記録された記録媒体から同映像信号を読み取り、同映像信号に含まれるクローズドキャプションを抽出して同抽出したクローズドキャプションの所定の記載を所定の内容に置き換えたのちＣＣチャンネルに挿入して出力し、置き換えた記載に対応する音声信号をミュートして出力する記録媒体再生部と、
上記チューナまたは上記記録媒体再生部より出力された映像信号からクローズドキャプションを抽出し、同抽出したクローズドキャプションを出力するＣＣスライサと、
上記映像信号に上記ＣＣスライサにて抽出されたクローズドキャプションを重畳して画面に表示させる表示処理部と、
を備えるテレビ受像機において、
上記ＣＣスライサでいずれのＣＣチャンネルを抽出させるかを設定するＣＣチャンネル設定手段と、
上記記録媒体再生部から映像信号を出力する際に、上記記録媒体に含まれるクローズドキャプションをいずれのＣＣチャンネルに挿入して出力させるかを設定するＣＣチャンネル出力設定手段と、
上記ＣＣチャンネル設定手段にてＣＣチャンネルが設定されると、同ＣＣチャンネルを上記ＣＣチャンネル出力設定手段にも設定させるＣＣチャンネル同期手段と、
を備えることを特徴とするテレビ受像機。
【発明の詳細な説明】
【技術分野】
【０００１】
本発明は、テレビ受像機に関し、特に、ＤＶＤなどの記録媒体を再生する機能を備えたテレビ受像機に関する。
【背景技術】
【０００２】
テレビ視聴における視聴制限を行うものとして、Ｖ−ＣｈｉｐやＴＶＧｕａｒｄｉａｎ（ＴＶＧ）といったものが知られている。ＴＶＧは、テレビジョン放送信号やＤＶＤなどの映像信号にあらかじめ付加されているクローズドキャプション（ＣＣ）を利用して視聴制限を行うものである。
【０００３】
図４を参照して、ＴＶＧの動作について簡単に説明する。ＣＣを含むテレビジョン放送信号の映像信号が映像信号入力端子１ａに入力されると、ＣＣデータスライサ２によってＣＣが映像信号から抽出される。そしてマイコン３により、不適当な単語やフレーズが含まれているか否かが解析される。この解析はマイコン３が備えるメモリに記憶された不適当な単語やフレーズのライブラリと比較することにより行われる。もし不適当な単語やフレーズが見つかると、アナログスイッチ７に、音声信号Ｌ入力端子１ｂおよび音声信号Ｒ入力端子１ｃに入力された音声信号をミュートさせるための制御信号が出力される。そして、マイコン３はＣＣから不適当な単語やフレーズを削除するとともに同削除された単語やフレーズの位置に代替用の単語を挿入する。そして映像信号のＣＣチャンネルのいずれかに代替用の単語が挿入されたＣＣを付加し、同映像信号を映像信号（ＲＦ）出力端子９ａや映像信号出力端子９ｂから出力するとともに、不適当な単語やフレーズがミュートされた音声信号を音声信号Ｌ出力端子９ｃおよび音声信号Ｒ出力端子９ｄから出力する。
【０００４】
ちなみに、Ｖ−Ｃｈｉｐとは、放送されるテレビジョン番組情報にレイティング情報を付加しておき、テレビ受信機側では受信したレイティング情報とあらかじめユーザが設定したレイティングとを比較することによりテレビジョン番組の視聴制限を行うものである。
【０００５】
上述したＴＶＧは、セットトップボックスなどの外付けで提供されることもあるが、ＤＶＤドライブなどにあらかじめ組み込まれた組込型として提供されることもある。このようなＴＶＧが組み込まれたＤＶＤドライブなどの外部メディア再生装置を備えたコンボテレビ受像機では、ＤＶＤドライブ側とテレビ受像機側とのそれぞれがマイコンなどの制御手段にて制御されることがあり、それぞれにいずれのＣＣチャンネルを使用するかを設定する設定値が記憶されている。
【０００６】
このようなコンボテレビ受像機をはじめとする相互に通信しあう機器間で、同機器間で共通する機能をそれぞれで設定可能な場合、以下のような方法で対処していた。すなわち特許文献１には、テレビ受像機とＤＶＤ装置とが双方向通信を行い、テレビ受像機の設定を優先しつつＤＶＤ固有のズーム設定はＤＶＤ装置のズーム設定を使用するＤＶＤ装置一体型テレビジョン受像機について記載されている。また、特許文献２には、複数の機器をワイヤレスインターフェース接続し、いずれかの機器で取得した番組ガイド情報を他の機器と共有化するワイヤレス通信装置およびワイヤレス通信方法について記載されている。
【０００７】
また、特許文献３にテレビジョン信号に含まれるランクに基づいて録画または再生を許可するビデオデッキについて、特許文献４に上述したＶ−Ｃｈｉｐのレイティング情報を番組のタイトル情報と対応させて記憶して一覧表示させることのできるテレビジョン放送受信装置とその制御方法について記載されている。
【特許文献１】特開２００５−６５１０７
【特許文献２】特開２００３−９０１４
【特許文献３】特開２０００−１５６８０
【特許文献４】特開２００３−１９８９７４
【発明の開示】
【発明が解決しようとする課題】
【０００８】
上述した従来のコンボテレビ受像機では、ＤＶＤドライブ側のＴＶＧにて不適当な単語やフレーズの削除および置換処理後に出力されるＣＣチャンネルと、テレビ受像機側で映像信号をスライスして抽出されるＣＣチャンネルとが一致しないことがあり、ＣＣの表示ミスが発生するという課題があった。
本発明は、上記課題にかんがみてなされたもので、上述したＴＶＧを外部メディア再生装置（ＤＶＤドライブ）側に備えつつ、ＣＣの表示ミスを防ぐことの可能なコンボ型のテレビ受像機の提供を目的とする。
【課題を解決するための手段】
【０００９】
上記課題を解決するために、本発明の請求項１にかかる発明では、テレビジョン放送信号を受信して対応する映像信号を出力するチューナと、クローズドキャプションを含む映像信号が記録されたＤＶＤから同映像信号を読み取り、同映像信号に含まれるクローズドキャプションを抽出して同抽出したクローズドキャプションのＮＧワードを適切な語彙に置き換えたのちＣＣチャンネルに挿入して出力し、置き換えたＮＧワードに対応する音声信号をミュートして出力するＤＶＤ再生部と、上記チューナまたは上記ＤＶＤ再生部より出力された映像信号からクローズドキャプションを抽出し、同抽出したクローズドキャプションを出力するＣＣスライサと、上記映像信号に上記ＣＣスライサにて抽出されたクローズドキャプションを重畳して画面に表示させる表示処理部と、リモコンＩ／Ｆから電圧信号が入力されて対応するキー操作を検知するとリモコンからの操作入力を受け付け、受け付けた操作入力に対応した制御を行うマイコンと、上記マイコンに接続され、情報を書き換え可能なＥＥＰＲＯＭと、リモコンＩ／Ｆから電圧信号が入力されて対応するキー操作を検知するとリモコンからの操作入力を受け付け、受け付けた操作入力に対応した制御を行うＤＶＤマイコンと、上記ＤＶＤマイコンに接続され、情報を書き換え可能なＤＶＤＥＥＰＲＯＭと、を備えるテレビ受像機において、上記ＥＥＰＲＯＭは、上記ＣＣスライサにいずれのＣＣチャンネルのクローズドキャプションを抽出させるかを示すＣＣチャンネル抽出情報を記憶し、上記ＤＶＤＥＥＰＲＯＭは、上記ＤＶＤ再生部から映像信号を出力する際に、ＤＶＤに含まれるクローズドキャプションをいずれのＣＣチャンネルに挿入して出力させるかを示すＣＣチャンネル挿入情報を記憶し、上記マイコンは、上記ＣＣチャンネル抽出情報に基づいて上記ＣＣスライサにクローズドキャプションを抽出させて同クローズドキャプションをディスプレイにＯＳＤ表示させ、上記ＤＶＤマイコンは、上記ＤＶＤ再生部から映像信号を出力する際に、上記ＤＶＤに含まれるクローズドキャプションをいずれのＣＣチャンネルに挿入して出力させるかを設定し、上記マイコンは、ＣＣチャンネル抽出情報が変更されると、同変更されたＣＣチャンネルの情報を双方向通信により上記ＤＶＤマイコンに送信し、上記ＤＶＤマイコンは、上記マイコンから双方向通信によりＣＣチャンネルの情報を受信すると同情報を受け付け、同情報を受信した旨を示す受信完了通知を双方向通信により上記マイコンに送信し、受信したＣＣチャンネルの情報が、クローズドキャプションを画面に表示させるとの情報であれば、受信したＣＣチャンネルの情報をＣＣチャンネル挿入情報と上記ＤＶＤＥＥＰＲＯＭの所定のアドレスに記憶させ、受信したＣＣチャンネルの情報が、クローズドキャプションを画面に表示させないとの情報であれば、上記ＤＶＤＥＥＰＲＯＭのＣＣチャンネル挿入情報を変更しない構成としてある。
【００１０】
また、上記目的を達成するために、請求項２に記載のテレビ受像機では、テレビジョン放送信号を受信して対応する映像信号を出力するチューナと、クローズドキャプションを含む映像信号が記録された記録媒体から同映像信号を読み取り、同映像信号に含まれるクローズドキャプションを抽出して同抽出したクローズドキャプションの所定の記載を所定の内容に置き換えたのちＣＣチャンネルに挿入して出力し、置き換えた記載に対応する音声信号をミュートして出力する記録媒体再生部と、上記チューナまたは上記記録媒体再生部より出力された映像信号からクローズドキャプションを抽出し、同抽出したクローズドキャプションを出力するＣＣスライサと、上記映像信号に上記ＣＣスライサにて抽出されたクローズドキャプションを重畳して画面に表示させる表示処理部と、を備えるテレビ受像機において、上記ＣＣスライサでいずれのＣＣチャンネルを抽出させるかを設定するＣＣチャンネル設定手段と、上記記録媒体再生部から映像信号を出力する際に、上記記録媒体に含まれるクローズドキャプションをいずれのＣＣチャンネルに挿入して出力させるかを設定するＣＣチャンネル出力設定手段と、上記ＣＣチャンネル設定手段にてＣＣチャンネルが設定されると、同ＣＣチャンネルを上記ＣＣチャンネル出力設定手段にも設定させるＣＣチャンネル同期手段と、を備える構成としてある。
上記のように構成した請求項２では、上記ＣＣチャンネル設定手段が上記ＣＣスライサでいずれのＣＣチャンネルを抽出させるかを設定すると、上記ＣＣチャンネル同期手段が同ＣＣチャンネルを上記ＣＣチャンネル出力設定手段にも設定させる。従って、上記ＣＣチャンネル出力設定手段も、上記ＣＣチャンネル設定手段にて設定されたＣＣチャンネルと同じＣＣチャンネルを設定する。
【００１１】
すなわち、上記ＣＣスライサは、上記記録媒体再生部においてクローズドキャプションを挿入したＣＣチャンネルと同じＣＣチャンネルからクローズドキャプションを抽出するため、上記記録媒体再生部において挿入されたクローズドキャプションを間違いなく上記ＣＣスライサにて抽出することが可能となる。従って、上記記録媒体再生部でクローズドキャプションと対応させてミュートした音声信号とクローズドキャプションとを正しく対応させて表示および出力させることが可能となる。
【００１２】
上記記録媒体としては、ＤＶＤやＣＤなどの光ディスクや、半導体記憶デバイス、ハードディスクなど、映像信号を記憶可能なものであればいかなるものであってもよく、様々なものを採用可能である。従って上記記録媒体再生部としては、採用された記録媒体に対応して適宜変更可能であることはいうまでもない。また、所定の記載としては、表示させて視聴させるには不適切な単語やフレーズ（宗教的、卑猥、性的、暴力的な単語やフレーズ）が考えられるが、むろん、それ以外にもユーザの好みに合わせて不愉快な単語やフレーズとしてもよいし、様々な記載を採用可能であり、これらを組み合わせて採用してもよい。さらに、置き換える所定の記載としては、適切な単語やフレーズで置き換えてもよいし、何も記載しなくてもよいし、ユーザが愉快になる単語やフレーズと置き換えてもよい。
【発明の効果】
【００１３】
以上説明したように本発明によれば、ＣＣスライサは、ＴＶＧｕａｒｄｉａｎにおいてクローズドキャプションを挿入したＣＣチャンネルと同じＣＣチャンネルからクローズドキャプションを抽出するため、ＴＶＧｕａｒｄｉａｎにおいて挿入されたクローズドキャプションを間違いなくＣＣスライサにて抽出することが可能となる。従って、ＴＶＧｕａｒｄｉａｎでクローズドキャプションと対応させてミュートした音声信号とクローズドキャプションとを正しく対応させて表示および出力させることが可能なテレビ受像機を提供することができる。また、ＣＣチャンネル出力設定手段による設定は、ＣＣチャンネル設定手段を設定すると自動的にＣＣチャンネル同期手段により同期されるため、ＣＣチャンネル出力設定手段に対応する設定項目を減らすことが可能となる。さらに、ＣＣチャンネル出力設定手段に対応する設定項目をユーザが設定する必要がなくなるため、ユーザの負担を減らすことが可能となり、ユーザの利便性が向上する。
さらに請求項１のような、より具体的な構成において、上述した請求項２の発明と同様の作用を奏することはいうまでもない。
【発明を実施するための最良の形態】
【００１４】
以下、下記の順序に従って本発明の実施形態を説明する。
（１）テレビジョンの概略構成：
（２）クローズドキャプションの表示設定を行うマイコンの処理：
（３）まとめ：
【００１５】
（１）テレビジョンの概略構成： 
以下、図１、図２および図３を参照して本発明の実施の形態について説明する。図１には本発明のテレビ受像機１００の概略構成をブロック図にて示してある。本実施形態において、テレビ受像機１００は、記録媒体再生部としてのＤＶＤ再生部を備えたＤＶＤコンボ型のテレビ受像機としてある。
【００１６】
同図において、テレビ受像機１００は、チューナ１０と、ＤＶＤ再生部３６と、セレクタ１４と、スピーカ１８が接続された音声信号処理部１６と、映像信号処理部２０と、ディスプレイ２４が接続された表示処理部２２と、ＣＣスライサ２６と、マイコン２８と、ＥＥＰＲＯＭ３０と、リモコン信号の送信先を切り換えるリモコン切換部３２と、リモコン６０からのリモコン信号を受信して対応する電圧信号をリモコン切換部３２に出力するリモコンＩ／Ｆ３４とから構成される。
【００１７】
また、ＤＶＤ再生部３６は、概略、ＤＶＤ再生部３６全体を制御するとともにリモコン切換部３２を切換制御するＤＶＤマイコン３６ｃと、ＤＶＤ再生部３６から出力されるクローズドキャプション（ＣＣ）をいずれのＣＣチャンネルに挿入して出力させるかを示すＣＣチャンネル挿入情報が記憶されたＥＥＰＲＯＭ３６ｄと、挿入されたＤＶＤなどの光ディスクに記録された映像／音声情報を読み取って出力するＤＶＤドライブ３６ｂと、ＤＶＤドライブ３６ｂより出力された映像／音声情報に含まれるＣＣに基づいて音声とＣＣとに変更を加えるＴＶＧ（ＴＶＧｕａｒｄｉａｎ）３６ａと、から構成される。
【００１８】
以下に各要素の説明と、テレビ受像機１００の機能を説明する。
マイコン２８とＤＶＤマイコン３６ｄは、内部に、ＣＰＵ、ＲＯＭ、ＲＡＭを備えてＲＡＭをワークエリアとしつつＲＯＭに記憶されたプログラムをＣＰＵにより実行する。マイコン２８とＤＶＤマイコン３６ｃとは、双方向通信可能であり、ＥＥＰＲＯＭ３０やＥＥＰＲＯＭ３６ｄに記憶された情報などの設定値を送受信可能とされる。ＥＥＰＲＯＭ３０には、ＣＣスライサ２６でいずれのＣＣチャンネルを抽出させるかを示すＣＣチャンネル抽出情報が記憶され、ＥＥＰＲＯＭ３６ｄにはＤＶＤ再生部３６から映像信号を出力する際に、ＤＶＤに含まれるクローズドキャプションをいずれのＣＣチャンネルに挿入して出力させるかを示すＣＣチャンネル挿入情報が記憶されている。本実施例においては、ＥＥＰＲＯＭ３６ｃがＤＶＤＥＥＰＲＯＭに相当する。
【００１９】
マイコン２８とＤＶＤマイコン３６ｃとは、ともにセレクタ１４とリモコン切換部３２とを制御可能であり、セレクタ１４がチューナ１０に接続されているＴＶモードでは、リモコン切換部３２はリモコン信号をマイコン２８に送出するように切り換えられ、セレクタ１４がＤＶＤ再生部３６に接続されているＤＶＤモードでは、リモコン切換部３２はリモコン信号をＤＶＤマイコン３６ｃに送出するように切り換えられる。
【００２０】
マイコン２８とＤＶＤマイコン３６ｃとのいずれかリモコン切換部３２によって接続された方は、リモコンＩ／Ｆ３４から電圧信号が入力されて対応するキー操作を検知するとリモコン６０からの操作入力を受け付け、受け付けた操作入力に対応した制御を行う。例えば、メニュー画面の表示を行わせる制御を受け付けると操作項目を画面に一覧表示させるＯＳＤデータを生成し、表示処理部２２のＯＳＤ（オンスクリーンディスプレイ）回路に出力する。そして、マイコン２８とＤＶＤマイコン３６ｃとは、ディスプレイ２４の画面に表示された操作項目の中からいずれかを選択する操作入力をリモコン６０から受け付けるとともに、選択された操作項目に対応する設定処理を実行する。なお、本実施形態のディスプレイ２４としては、ブラウン管や液晶パネルから映像を出力する液晶テレビジョンやプラズマディスプレイから映像を出力するプラズマテレビジョン等が考えられる。
【００２１】
チューナ１０からの出力およびＤＶＤ再生部からの出力は、セレクタ１４に入力されており、チューナ１０とＤＶＤ再生部３６のいずれか１つを選択して、コンポジット信号および音声信号を出力可能となっている。この選択はマイコン２８またはＤＶＤマイコン３６ｃにより制御され、リモコン６０からリモコンＩ／Ｆ３４を介して入力されるリモコン信号に基づいて行われる。セレクタ１４によって選択されたコンポジット信号は映像信号処理部２０に入力され、音声信号は音声信号処理部１６に入力される。
【００２２】
チューナ１０は、テレビジョン放送信号の入力源としてＵ／Ｖアンテナ１０ａを接続可能であり、マイコン２８の制御によりテレビ放送帯域に対応した所望周波数の信号に同調しつつ受信するとともに、受信した信号から所要の信号だけを選択して高周波増幅し、中間周波信号に変換して出力する。中間周波信号に含まれる映像信号は、例えばＮＴＳＣであれば、輝度信号と色信号と同期信号とを合成して同時に扱えるようにしたコンポジット信号である。
【００２３】
ＤＶＤドライブ３６ｂは、図示しない操作パネルの操作入力とＤＶＤマイコン３６ｃの制御とに従って、光ディスクに記録されたクローズドキャプションを含む映像信号の情報と音声信号の情報とを読み取って出力する。
【００２４】
ＴＶＧ３６ａは、例えば上記背景技術に記載した構成とされ、ＤＶＤドライブから出力される映像信号の情報に含まれるＣＣを抽出し、同ＣＣをあらかじめ設定されたライブラリと比較することによりＮＧワード（不適当な単語やフレーズ）が含まれるか否かを解析し、ＮＧワードが含まれた場合は同ＮＧワードを適切な語彙に置換するとともに音声信号のＮＧワードに対応する部位をミュートする処理を行う。そして、ＮＧワードが置換されたＣＣを映像信号の所定のＣＣチャンネルに挿入し、ＮＧワードがミュートされた音声信号とともに出力する。出力される映像／音声信号は、ＲＦ信号に戻して出力してもよいし、映像信号と音声信号とを別個に出力してもよい。上記ライブラリとしては、宗教的な言葉や性的な言葉、暴力的な言葉などが設定されている他、ユーザが各自設定することも可能である。すなわち、ＮＧワードが所定の記載に相当し、適切な語彙が所定の内容に相当する。
【００２５】
映像信号処理部２０は、Ａ／Ｄ変換回路と、Ｙ／Ｃ分離回路と、クロマデコーダ回路と、画像調整回路と、マトリクス回路とを有している。かかる構成において、Ａ／Ｄ変換回路は、中間周波信号から映像信号としてのコンポジット信号が入力されると同コンポジット信号における白レベルと黒レベルとの間の所定の信号レベル範囲を各信号レベルに応じた階調のディジタル信号に変換する。そして、以降の所定の信号処理はこのディジタル信号に基づいて実行される。Ｙ／Ｃ分離回路は、Ａ／Ｄ変換回路より出力されたディジタル信号に基づいてＹ信号とＣ信号の分離を行う。分離後のＹ信号とＣ信号はクロマデコーダ回路に入力され、所定の信号処理が行われた後にＹＵＶ信号として出力される。画像調整回路は、ＹＵＶ信号に対して、シャープネス、色彩およびＴＩＮＴの調整を行う。マトリクス回路は、画像調整回路によって画質調整が施されたＹＵＶ信号に対してＲＧＢマトリクス変換処理を行って、ＲＧＢ信号を生成する。この生成されたＲＧＢ信号は表示処理部２２に入力される。
【００２６】
表示処理部２２は、スケーラ回路と、画像処理部と、ドライバ回路と、ＯＳＤ（オンスクリーンディスプレイ）回路と、フレームバッファと、制御回路とを有している。スケーラ回路は、上記ＲＧＢ信号が入力され同ＲＧＢ信号に対してディスプレイ２４の画素数（横縦比、ｍ：ｎ）に合わせたスケーリング処理を行い、ディスプレイ２４に表示する１画面分の画像データを生成する。そして、この１画面の画像データをフレームバッファに格納する。画像処理部は、上記スケーリング処理が施されてフレームバッファに格納された１画面分の画像データを読み出し、輝度相当値の増幅と、輝度相当値の全体的な増大または減少の信号処理と、γ補正とを行い、かかる信号処理を施した画像データをフレームバッファに記憶する。ＯＳＤ回路は、マイコン２８およびＣＣスライサ２６より出力されるＯＳＤデータに基づいてディスプレイ２４の画面にＯＳＤ表示する画像を表すＯＳＤ信号を生成して映像信号に重畳させる。ドライバ回路は上記信号処理およびＯＳＤ信号の重畳を施された画像データを基に、ディスプレイ２４の各表示画素に出力する駆動信号を生成する。
【００２７】
音声信号処理部１６は、セレクタ１４を介して出力される音声信号をスピーカ１８から出力可能な信号に復元するとともに、同信号を増幅してスピーカ１８に出力し、スピーカ１８から音声を出力させる。ＤＶＤ再生部３６より出力されて音声信号処理部１６に入力される音声信号は、ＴＶＧ３６ａにてＮＧワード部分がミュートされているので、スピーカから出力される音声にＮＧワードは含まれない。
【００２８】
ＣＣスライサ２６は、セレクタ１４によって接続されたチューナ１０またはＤＶＤ再生部３６のいずれかから映像信号が入力される。そして、入力された映像信号の所定の位置に挿入されるＣＣのうち、ＥＥＰＲＯＭ３０に設定されたＣＣチャンネル抽出情報に基づいてマイコン２８より制御信号が出力され、同制御信号に基づいて所定のＣＣチャンネルのＣＣを抽出して表示処理部２２のＯＳＤ回路に出力する。ＯＳＤ処理部は入力されたＣＣ情報をＯＳＤデータとして映像信号に重畳しディスプレイ２４に表示させる。
【００２９】
リモコン切換部３２は、マイコン２８に対してリモコン信号を送出しているときはマイコン２８の制御に従って、ＤＶＤマイコン３６ｃに対してリモコン信号を送出しているときはＤＶＤマイコン３６ｃの制御に従って、リモコン信号の送出先を切り換える。
【００３０】
リモコン６０は操作を受け付ける複数のキーと、リモコン信号をリモコンＩ／Ｆ３４に向けて送信するリモコン送信部６５とを有し、同複数のキーの操作に応じたリモコン信号を所定のフォーマットで送出する。例えば、図２に図示するリモコン６０を用いて所望のチャンネルを受信させるべく操作すると、リモコン送信部６５より対応するリモコン信号が送出される。そして、マイコン２８またはＤＶＤマイコン３６ｃがリモコンＩ／Ｆ３４を介してリモコン信号を受信し、対応するチャンネルを受信させるように周波数データをチューナ１０に送出する。
【００３１】
またリモコン６０はテンキー６３、音量調節キー６２ａ，６２ｂ、上下左右カーソル移動キー６１ａ，６１ｂ，６１ｃ，６１ｄ、カーソル選択キー６１ｅ、セットアップキー６７、および入力切換キー６４を備えている。いずれかのキーが押下げ操作されると、同操作に対応するリモコン信号が送出され、対応する電圧信号がマイコン２８若しくはＤＶＤマイコン３６ｃにて受信される。例えば、入力切換キー６４が押下げ操作され、同操作に対応する電圧信号をマイコン２８が受信すると、マイコン２８は制御信号を出力してセレクタ１４をＤＶＤ再生部３６に切り換えるとともにリモコン切換部３２をＤＶＤマイコン３６ｃに切り換える。逆にＤＶＤマイコン３６ｃが入力切換キー６４に対応する電圧信号を受信すると、セレクタ１４をチューナ１０に切り換えるとともにリモコン切換部３２をマイコン２８に切り換える。
【００３２】
（２）クローズドキャプションの表示設定を行うマイコンの処理： 
ＣＣチャンネル抽出情報の設定処理はＴＶモードにおいて所定の操作がなされたときにマイコン２８により実行される。本実施例においては、セットアップキー６７が押下げ操作されたときに表示されるセットアップメニューの操作項目の中から、上下左右カーソルキー６１ａ〜６１ｄのいずれかを押下げ操作してカーソルを抽出するＣＣチャンネルを設定する操作項目に合わせ、カーソル選択キー６１ｅを押下げ操作する。そして、いずれのＣＣチャンネルをＣＣスライサ２６にて抽出するかを選択しカーソル選択キー６１ｅの押下げ操作により決定する。すなわち、ＴＶモードにおけるセットアップキー６７の押下げ操作からカーソル選択キー６１ｅの押下げ操作による決定までの操作が所定の操作に相当する。これによりＥＥＰＲＯＭ３０の所定のアドレスにはＣＣチャンネル抽出情報の変更が記憶される。以上のＥＥＰＲＯＭ３０の所定のアドレスにはＣＣチャンネル抽出情報の変更を記憶させる処理を実行するマイコン２８が、ＣＣスライサ２６でいずれのＣＣチャンネルを抽出させるかを設定するＣＣチャンネル設定手段を構成する
【００３３】
一方、ＣＣチャンネル挿入情報の設定はＤＶＤモードにおいて所定の操作がなされたときにＤＶＤマイコン３６ｃにより実行される。本実施例においては、セットアップキー６７が押下げ操作されたときに表示されるセットアップメニューの操作項目の中から、上下左右カーソルキー６１ａ〜６１ｄのいずれかを押下げ操作してカーソルを抽出するＣＣチャンネルを設定する操作項目に合わせ、カーソル選択キー６１ｅを押下げ操作する。そして、ＴＶＧ３６ａより出力される映像信号のいずれのＣＣチャンネルにＣＣを挿入するか選択しカーソル選択キー６１ｅの押下げ操作により決定する。すなわち、ＤＶＤモードにおけるセットアップキー６７の押下げ操作からカーソル選択キー６１ｅの押下げ操作による決定までの操作が所定の操作に相当する。これによりＥＥＰＲＯＭ３６ｄの所定のアドレスにはＣＣチャンネル挿入情報の変更が記憶される。以上より、ＥＥＰＲＯＭ３６ｄの所定のアドレスにはＣＣチャンネル挿入情報の変更を記憶させるＤＶＤマイコン３６ｃが、ＤＶＤ再生部３６から映像信号を出力する際に、ＤＶＤに含まれるクローズドキャプションをいずれのＣＣチャンネルに重畳して出力させるかを設定するＣＣチャンネル出力設定手段を構成する。
【００３４】
次に、ＣＣチャンネル抽出情報が変更されたときにＣＣチャンネル挿入情報を変更する処理を実行するマイコン２８およびＤＶＤマイコン３６ｃの処理を説明する。ＣＣチャンネル抽出情報の設定はマイコン２８にて行われるが、ＣＣチャンネル挿入情報の設定はＤＶＤマイコン３６ｃにて行われる。従って、ＣＣスライサ２６にて抽出されるＣＣチャンネルと、ＤＶＤ再生部３６より出力される映像信号に挿入されるＣＣチャンネルとが異なる可能性がある。つまり、ＣＣスライサ２６にて抽出されるＣＣチャンネルにＣＣが含まれておらず、ＣＣが表示されないことがあった。そこで本実施例においては、ＣＣチャンネル抽出情報が変更されるとＣＣチャンネル挿入情報も同期して変更される構成としてある。
【００３５】
図３にＣＣチャンネル抽出情報が変更されたとき、同変更に対応してＣＣチャンネル挿入情報を変更するマイコン２８およびＤＶＤマイコン３６ｃの処理をフローチャートにて示した。すなわちこの処理においてＴＶモードとＤＶＤモードにおけるＣＣチャンネルの情報が同期される。同図において、マイコン２８の処理をＴＶ側ルーチン、ＤＶＤマイコン３６ｃの処理をＤＶＤ側ルーチンとして示してあり、両ルーチンはテレビ受像機１００の電源がオンである間は繰り返し実行される。むろん、電源オンでありつつリモコン切換部３２がマイコン２８に接続されている間だけ実行される構成としても構わない。
【００３６】
処理が開始されると、マイコン２８はステップＳ１０で、ＥＥＰＲＯＭ３０の所定のアドレスに記憶されたＣＣチャンネル抽出情報が変更されたか否かを判断する。この判断は、ＣＣチャンネル抽出情報のタイムスタンプを記憶させておいたり、ＣＣチャンネル抽出情報が変更されると当該処理が実行されるまでフラグ情報を所定のアドレスに記憶させておいたりして、ＣＣチャンネル抽出情報の変更を認識できるようにすればよい。ＣＣチャンネル抽出情報が変更されたと判断すると条件成立としてステップＳ１２に進みＣＣチャンネル抽出情報に設定されたＣＣチャンネルの情報を双方向通信によりＤＶＤマイコン３６ｃに送信するとともに、ＣＣチャンネル抽出情報が変更されたとの情報をクリアする。一方、変更されていないと判断すると条件不成立としてステップＳ１０の処理を繰り返す。
【００３７】
一方、ＤＶＤマイコン３６ｃでは、処理が開始されるとステップＳ２０〜Ｓ２２でＣＣチャンネルの受信待ち処理を行い、マイコン２８よりＣＣチャンネルの情報を双方向通信にて受信するとステップＳ２２にて条件成立となりステップＳ２４に進み、ＣＣチャンネルの情報を受信した旨を示す受信完了通知をマイコン２８に双方向通信にて送信する。ＣＣチャンネルの情報を受信しないときは条件不成立としてステップＳ２０に戻り、ＣＣチャンネルの情報を受信するまでステップＳ２０〜Ｓ２２の処理を繰り返す。
【００３８】
そして、マイコン２８は、ステップＳ１２終了後、ステップＳ１４〜Ｓ１６でＣＣチャンネルの受信完了通知の受信待ち処理を開始し、ＤＶＤマイコン３６ｃより受信完了通知を受信するとステップＳ１６で条件成立となり処理を終了し、受信完了通知を受信しないと条件不成立として受信完了通知を受信するまでステップＳ１４〜Ｓ１６の処理を繰り返す。
【００３９】
受信完了通知を送信後、ステップＳ２６でＤＶＤマイコン３６ｃは、ステップＳ２２で受信したＣＣチャンネルの情報が、ＣＣを表示するとの情報であるか否かを判断する。つまり、ＣＣチャンネルの情報には、いずれかのＣＣチャンネルを表示させるとの情報に加えていずれのＣＣチャンネルの情報も表示させないとの情報も存在し、ＣＣチャンネルの情報がＣＣチャンネルを表示させないとのものであれば、ＣＣチャンネル挿入情報を変更する必要が無いからである。従って、ＣＣを表示するとの情報である場合は条件成立としてステップＳ２８に進み、ＥＥＰＲＯＭ３６ｄの所定のアドレスに記憶されているＣＣチャンネル挿入情報を受信したＣＣチャンネルの情報に変更して記憶させ、当該処理を終了する。一方、ＣＣを表示させないとの情報である場合は、ＥＥＰＲＯＭ３６ｄのＣＣチャンネル挿入情報は変更せず、条件不成立として当該処理を終了する。
【００４０】
以上の処理により、マイコン２８によってＣＣチャンネル抽出情報が変更されると、同変更されたＣＣチャンネル抽出情報に対応するＣＣチャンネルを、ＤＶＤマイコン３６ｃにＣＣチャンネル挿入情報のＣＣチャンネルとして設定させる。従って、ステップＳ１０〜Ｓ１６の処理を行うマイコン２８と、ステップＳ２０〜Ｓ２８の処理を行うＤＶＤマイコン３６ｃとが、上記ＣＣチャンネル設定手段にてＣＣチャンネルが設定されると、同ＣＣチャンネルを上記ＣＣチャンネル出力設定手段にも設定させるＣＣチャンネル同期手段を構成する。
【００４１】
以下、上記構成からなる本実施形態の動作を説明する。
ユーザがセットアップキー６７を押下げ操作し、表示されるセットアップメニューの操作項目の中から、上下左右カーソルキー６１ａ〜６１ｄのいずれかを押下げ操作してカーソルを抽出するＣＣチャンネルを設定する操作項目に合わせ、カーソル選択キー６１ｅを押下げ操作する。そして、いずれのＣＣチャンネルを画面に表示させるかをカーソルにて選択し、カーソル選択キー６１ｅの押下げ操作により決定する。すると、決定されたＣＣチャンネルの情報がＣＣチャンネル抽出情報としてＥＥＰＲＯＭ３０の所定のアドレスに記憶され、同時にＣＣチャンネル抽出情報が変更された旨示す情報も記憶される。
【００４２】
マイコン２８では、ＣＣチャンネル抽出情報の変更を示す情報を監視する処理を繰り返し行っているので、ＣＣチャンネル抽出情報が変更された旨を示す情報を検しする（ステップＳ１０）。そして変更されたＣＣチャンネルの情報を双方向通信によりＤＶＤマイコン３６ｃに送信し（ステップＳ１２）、ＣＣチャンネル抽出情報が変更された旨示す情報をクリアする。
【００４３】
ＤＶＤマイコン３６ｃも、マイコン２８から送信されるＣＣチャンネルの情報を監視する処理を繰り返し行っているので、ＣＣチャンネルの情報を双方向通信によりマイコン２８から受信すると（ステップＳ２０〜Ｓ２２）同情報を受け付け、同情報を受信した旨を示す受信完了通知を双方向通信によりマイコン２８に送信する（ステップＳ２４）。受信完了通知を受信したマイコン２８は、ＣＣチャンネル抽出情報の変更を示す情報を監視する処理を終了する（ステップＳ１６）。
【００４４】
そしてＤＶＤマイコン３６ｃは、受信したＣＣチャンネルの情報が、ＣＣを画面に表示させるとの情報であれば、受信したＣＣチャンネルの情報がＣＣチャンネル挿入情報としてＥＥＰＲＯＭ３６ｃの所定のアドレスに記憶される（ステップＳ２６）。これにより、ＣＣチャンネル挿入情報のＣＣチャンネルとＣＣチャンネル抽出情報のＣＣチャンネルとが一致し、ＴＶＧ３６ａにおいてＣＣチャンネル挿入情報に基づいたＣＣチャンネルに挿入されたＣＣは、ＣＣスライサ２６により抽出されて表示処理部２２のＯＳＤ回路にて映像信号に重畳され、ディスプレイ２４の画面に表示される。すなわち音声信号と対応するＣＣが画面に表示される。
【００４５】
一方、ＤＶＤマイコン３６ｃは、受信したＣＣチャンネルの情報が、ＣＣを画面に表示させないとの情報であれば、ＥＥＰＲＯＭ３６ｃのＣＣチャンネル挿入情報は変更しない（ステップＳ２８）。つまり、ＣＣチャンネルはいずれにしても画面には表示されないため、ＴＶＧ３６ａがいずれのＣＣチャンネルにＣＣを挿入して出力してもかまわない。
【００４６】
（３）まとめ： 
つまり、マイコン２８がＣＣスライサ２６でいずれのＣＣチャンネルを抽出させるかを表すＣＣチャンネル抽出情報を変更してＥＥＰＲＯＭ３０に設定すると、マイコン２８が同変更を検出して変更されたＣＣチャンネルをＤＶＤマイコン３６ｃに通知する。そして、ＤＶＤマイコン３６ｃは、ＤＶＤ再生部３６から映像信号を出力する際にＤＶＤに含まれるクローズドキャプションをいずれのＣＣチャンネルに挿入して出力させるかを表すＣＣチャンネル挿入情報に、通知されたＣＣチャンネルを設定する。
【００４７】
以上説明したように、本実施例に対応する請求項２に記載のテレビ受像機では、テレビジョン放送信号を受信して対応する映像信号を出力するチューナと、クローズドキャプションを含む映像信号が記録された記録媒体から同映像信号を読み取り、同映像信号に含まれるクローズドキャプションを抽出して同抽出したクローズドキャプションの所定の記載を所定の内容に置き換えたのちＣＣチャンネルに挿入して出力し、置き換えた記載に対応する音声信号をミュートして出力する記録媒体再生部と、上記チューナまたは上記記録媒体再生部より出力された映像信号からクローズドキャプションを抽出し、同抽出したクローズドキャプションを出力するＣＣスライサと、上記映像信号に上記ＣＣスライサにて抽出されたクローズドキャプションを重畳して画面に表示させる表示処理部と、を備えるテレビ受像機において、上記ＣＣスライサでいずれのＣＣチャンネルを抽出させるかを設定するＣＣチャンネル設定手段と、上記記録媒体再生部から映像信号を出力する際に、上記記録媒体に含まれるクローズドキャプションをいずれのＣＣチャンネルに挿入して出力させるかを設定するＣＣチャンネル出力設定手段と、上記ＣＣチャンネル設定手段にてＣＣチャンネルが設定されると、同ＣＣチャンネルを上記ＣＣチャンネル出力設定手段にも設定させるＣＣチャンネル同期手段と、を備える構成としてある。
上記のように構成した請求項２では、上記ＣＣチャンネル設定手段が上記ＣＣスライサでいずれのＣＣチャンネルを抽出させるかを設定すると、上記ＣＣチャンネル同期手段が同ＣＣチャンネルを上記ＣＣチャンネル出力設定手段にも設定させる。従って、上記ＣＣチャンネル出力設定手段も、上記ＣＣチャンネル設定手段にて設定されたＣＣチャンネルと同じＣＣチャンネルを設定する。
【００４８】
すなわち、上記ＣＣスライサは、上記記録媒体再生部においてクローズドキャプションを挿入したＣＣチャンネルと同じＣＣチャンネルからクローズドキャプションを抽出するため、上記記録媒体再生部において挿入されたクローズドキャプションを間違いなく上記ＣＣスライサにて抽出することが可能となる。従って、上記記録媒体再生部でクローズドキャプションと対応させてミュートした音声信号とクローズドキャプションとを正しく対応させて表示および出力させることが可能となる。
【００４９】
上記記録媒体としては、ＤＶＤやＣＤなどの光ディスクや、半導体記憶デバイス、ハードディスクなど、映像信号を記憶可能なものであればいかなるものであってもよく、様々なものを採用可能である。従って上記記録媒体再生部としては、採用された記録媒体に対応して適宜変更可能であることはいうまでもない。また、所定の記載としては、表示させて視聴させるには不適切な単語やフレーズ（宗教的、卑猥、性的、暴力的な単語やフレーズ）が考えられるが、むろん、それ以外にもユーザの好みに合わせて不愉快な単語やフレーズとしてもよいし、様々な記載を採用可能であり、これらを組み合わせて採用してもよい。さらに、置き換える所定の記載としては、適切な単語やフレーズで置き換えてもよいし、何も記載しなくてもよいし、ユーザが愉快になる単語やフレーズと置き換えてもよい。
【００５０】
以上の構成を踏まえた上で、請求項１の発明は  上記課題を解決するために、本発明の請求項１にかかる発明では、テレビジョン放送信号を受信して対応する映像信号を出力するチューナと、クローズドキャプションを含む映像信号が記録されたＤＶＤから同映像信号を読み取り、同映像信号に含まれるクローズドキャプションを抽出して同抽出したクローズドキャプションのＮＧワードを適切な語彙に置き換えたのちＣＣチャンネルに挿入して出力し、置き換えたＮＧワードに対応する音声信号をミュートして出力するＤＶＤ再生部と、上記チューナまたは上記ＤＶＤ再生部より出力された映像信号からクローズドキャプションを抽出し、同抽出したクローズドキャプションを出力するＣＣスライサと、上記映像信号に上記ＣＣスライサにて抽出されたクローズドキャプションを重畳して画面に表示させる表示処理部と、リモコンＩ／Ｆから電圧信号が入力されて対応するキー操作を検知するとリモコンからの操作入力を受け付け、受け付けた操作入力に対応した制御を行うマイコンと、上記マイコンに接続され、情報を書き換え可能なＥＥＰＲＯＭと、リモコンＩ／Ｆから電圧信号が入力されて対応するキー操作を検知するとリモコンからの操作入力を受け付け、受け付けた操作入力に対応した制御を行うＤＶＤマイコンと、上記ＤＶＤマイコンに接続され、情報を書き換え可能なＤＶＤＥＥＰＲＯＭと、を備えるテレビ受像機において、上記ＥＥＰＲＯＭは、上記ＣＣスライサにいずれのＣＣチャンネルのクローズドキャプションを抽出させるかを示すＣＣチャンネル抽出情報を記憶し、上記ＤＶＤＥＥＰＲＯＭは、上記ＤＶＤ再生部から映像信号を出力する際に、ＤＶＤに含まれるクローズドキャプションをいずれのＣＣチャンネルに挿入して出力させるかを示すＣＣチャンネル挿入情報を記憶し、上記マイコンは、上記ＣＣチャンネル抽出情報に基づいて上記ＣＣスライサにクローズドキャプションを抽出させて同クローズドキャプションをディスプレイにＯＳＤ表示させ、上記ＤＶＤマイコンは、上記ＤＶＤ再生部から映像信号を出力する際に、上記ＤＶＤに含まれるクローズドキャプションをいずれのＣＣチャンネルに挿入して出力させるかを設定し、上記マイコンは、ＣＣチャンネル抽出情報が変更されると、同変更されたＣＣチャンネルの情報を双方向通信により上記ＤＶＤマイコンに送信し、上記ＤＶＤマイコンは、上記マイコンから双方向通信によりＣＣチャンネルの情報を受信すると同情報を受け付け、同情報を受信した旨を示す受信完了通知を双方向通信により上記マイコンに送信し、受信したＣＣチャンネルの情報が、クローズドキャプションを画面に表示させるとの情報であれば、受信したＣＣチャンネルの情報をＣＣチャンネル挿入情報と上記ＤＶＤＥＥＰＲＯＭの所定のアドレスに記憶させ、受信したＣＣチャンネルの情報が、クローズドキャプションを画面に表示させないとの情報であれば、上記ＤＶＤＥＥＰＲＯＭのＣＣチャンネル挿入情報を変更しない構成としてある。
【００５１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５２】
【図１】本発明の実施形態にかかるテレビ受像機の概略構成を示すブロック図である。
【図２】本発明の実施形態にかかるリモコンの一例である。
【図３】ＣＣチャンネルの同期を行うマイコンおよびＤＶＤマイコンの処理を示すフローチャートである。
【図４】ＴＶＧｕａｒｄｉａｎの概略構成を示すブロック図である。
【符号の説明】
【００５３】
１０…チューナ
１４…セレクタ
１６…音声信号処理部
２０…映像信号処理部
２２…表示処理部
２６…ＣＣスライサ
２８…マイコン
３０…ＥＥＰＲＯＭ
３２…リモコン切換部
３４…リモコンＩ／Ｆ
３６…ＤＶＤ再生部
３６ａ…ＴＶＧ（ＴＶＧｕａｒｄｉａｎ）
３６ｂ…ＤＶＤドライブ
３６ｃ…ＤＶＤマイコン
３６ｄ…ＥＥＰＲＯＭ
６０…リモコン
６４…入力切換キー
６７…セットアップキー
２…ＣＣデータスライサ
３…マイコン
７…アナログスイッチ
【図１】
2007306062.tif 000003
【図２】
2007306062.tif 000004
【図３】
2007306062.tif 000005
【図４】
2007306062.tif 000006